【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
マルチパートヒドロシリル化硬化性シリコーンエラストマー組成物であって、
（ｉ）少なくとも２つの不飽和基を含み且つ２５℃で少なくとも１，０００ｍＰａ・ｓの粘度を有するオルガノポリシロキサン、
（ｉｉ）親水性表面を有する無機フィラー、
（ｉｉｉ）少なくとも２つのヒドロキシ基、又はそれ以外の加水分解性基、又はそれらの混合物を含み且つ２〜５０の平均重合度を有するオルガノポリシロキサンを含むフィラー処理剤、
（ｉｖ）２５℃で最大約１０Ｐａ・ｓの粘度を有する、１分子当たり平均して２つより多くのケイ素結合水素原子を有するオルガノハイドロジェンシロキサン、
（ｖ）ヒドロシリル化触媒、
及び／又は、上記の（ｉｉ）と（ｉｉｉ）との反応によって得られる処理されたフィラーを含み、該フィラー処理剤（ｉｉｉ）及び／又は該処理されたフィラーが、硬化前にオルガノハイドロジェンシロキサン（ｉｖ）と別々にパッケージングされることを特徴とする、マルチパートヒドロシリル化硬化性シリコーンエラストマー組成物。
【請求項２】
前記ポリマー（ｉ）が、下記式：
ＲａＳｉＯ（４−ａ）／２
（式中、Ｒは、１個〜１０個の炭素原子を有する任意に置換されたアルキル基、アルケニル基及びアリール基から選択される、置換及び非置換の一価炭化水素基から選択され、且つａの平均値は１．９５〜２．０５である）の単位を含む、請求項１に記載の組成物。
【請求項３】
前記フィラー（ｉｉ）が、高表面積ヒュームドシリカ；沈降シリカ；炭酸カルシウム；粉砕石英；珪藻土類；硫酸バリウム；酸化鉄；二酸化チタン及びカーボンブラック；タルク；ウォラストナイト；アルミナイト；硫酸カルシウム（無水セッコウ）；セッコウ；硫酸カルシウム；炭酸マグネシウム；カオリン；カオリナイト；三水酸化アルミニウム；水酸化マグネシウム（ブルーサイト）；グラファイト；炭酸銅、例えばクジャク石；炭酸ニッケル；炭酸バリウム；炭酸ストロンチウム；酸化アルミニウム；カンラン石類、ガーネット類、アルミノケイ酸塩、環状ケイ酸塩、鎖状ケイ酸塩及び層状ケイ酸塩から成る群からのケイ酸塩；の群の１つ又は複数から選択される、請求項１又は２に記載の組成物。
【請求項４】
前記処理剤（ｉｉｉ）が、式：
ＲａＳｉＯ（４−ａ）／２
（式中、Ｒは、１個〜１０個の炭素原子を有する任意に置換されたアルキル基、アルケニル基及びアリール基から選択される、置換及び非置換の一価炭化水素基から選択され、且つａの平均値は１．９５〜２．０５である）の単位を含む、請求項１〜３のいずれか一項に記載の組成物。
【請求項５】
前記ヒドロシリル化触媒が、白金、ロジウム、イリジウム、パラジウム又はルテニウムをベースとした触媒から選択される、請求項１〜４のいずれか一項に記載の組成物。
【請求項６】
以下の、ヒドロシリル化触媒阻害剤、レオロジー調整剤、顔料、着色料、粘着防止剤、定着剤、熱安定化剤、発泡剤、難燃剤、導電性フィラー及び／又は熱伝導性フィラー、並びに乾燥剤の１つ又は複数をさらに含む、請求項１〜５のいずれか一項に記載の組成物。
【請求項７】
２つのパートにおいて、
パートＡが、ポリマー（ｉ）と、処理されたフィラーと、触媒（ｖ）と、場合によっては残りの処理剤とを含み、
パートＢが、ポリマーと架橋剤とを含み、この２パート組成物が１：１０〜２０：１の比率で混合可能である、請求項１〜６のいずれか一項に記載の組成物。
【請求項８】
３つのパートにおいて、
パートＡが、ポリマーと、触媒と、処理されたフィラーと、場合によっては残りの処理剤とを含み、
パートＢが、ポリマーと、処理されたフィラーと、場合によっては残りの処理剤とを含み、
且つ、パートＣが、架橋剤と任意にポリマーと存在する場合には阻害剤とを含む、請求項１〜６のいずれか一項に記載の組成物。
【請求項９】
（ａ）親水性表面を有する無機フィラーを、少なくとも２つのヒドロキシ基、２つのアルコキシ基、又はそれらの混合物を含み且つ２〜５０の平均重合度を有するオルガノポリシロキサンを含むフィラー処理剤で処理する工程と、
（ｂ）工程（ａ）の生成物を、
少なくとも２つの不飽和基を含み且つ２５℃で少なくとも１，０００ｍＰａ・ｓの粘度を有するオルガノポリシロキサン（ｉ）、
２５℃で最大約１０Ｐａ・ｓの粘度を有する、１分子当たり平均して２つより多くのケイ素結合水素原子を有するオルガノハイドロジェンシロキサン（ｉｖ）、及び
ヒドロシリル化触媒（ｖ）、
を含むマルチパート組成物中に混合する工程と、
を含み、工程（ａ）の反応生成物を含有する各パートが、硬化前に如何なるオルガノハイドロジェンシロキサン（ｉｖ）も含有しない、請求項１〜８のいずれか一項に記載の組成物を製造する方法。
【請求項１０】
以下の構成成分：
（ｉ）少なくとも２つの不飽和基を含み且つ２５℃で少なくとも１，０００ｍＰａ・ｓの粘度を有するオルガノポリシロキサン、
（ｉｉ）親水性表面を有する無機フィラー、
（ｉｉｉ）少なくとも２つのヒドロキシ基を含み且つ２〜５０の平均重合度を有するオルガノポリシロキサンを含むフィラー処理剤、
（ｉｖ）２５℃で最大約１０Ｐａ・ｓの粘度を有する、１分子当たり平均して２つより多くのケイ素結合水素原子を有するオルガノハイドロジェンシロキサン、及び
（ｖ）ヒドロシリル化触媒、
を、マルチパート組成物中に混合する工程を含み、前記フィラー処理剤（ｉｉｉ）及び該フィラー処理剤（ｉｉｉ）と構成成分（ｉｉ）との反応生成物が、貯蔵中オルガノハイドロジェンシロキサン（ｉｖ）と別々にパッケージングされること、及び前記マルチパート組成物中の構成成分が使用直前に共に混合されることを特徴とする、請求項１〜８のいずれか一項に記載の組成物を製造する方法。
【請求項１１】
（ａ）親水性表面を有する無機フィラーを、少なくとも２つのヒドロキシ基、２つのアルコキシ基、又はそれらの混合物を含み且つ２〜５０の平均重合度を有するオルガノポリシロキサンを含むフィラー処理剤で処理する工程と、
（ｂ）工程（ａ）の生成物を、
（ｉ）少なくとも２つの不飽和基を含み且つ２５℃で少なくとも１，０００ｍＰａ・ｓの粘度を有するオルガノポリシロキサン、
（ｉｉ）２５℃で最大約１０Ｐａ・ｓの粘度を有する、１分子当たり平均して２つより多くのケイ素結合水素原子を有するオルガノハイドロジェンシロキサン、及び
（ｉｉｉ）ヒドロシリル化触媒、
を含むマルチパート組成物中に混合する工程と、
を含み、前記フィラー処理剤（ｉｉｉ）及び該フィラー処理剤（ｉｉｉ）と構成成分（ｉｉ）との反応生成物が、貯蔵中オルガノハイドロジェンシロキサン（ｉｖ）と別々にパッケージングされること、及び前記マルチパート組成物中の構成成分が使用直前に共に混合されることを特徴とする、請求項１〜８のいずれか一項に記載の組成物を製造する方法。
【請求項１２】
・以下の構成成分：
少なくとも２つの不飽和基を含み且つ２５℃で少なくとも１，０００ｍＰａ・ｓの粘度を有するオルガノポリシロキサンと；
親水性表面を有する無機フィラーと；
少なくとも２つのヒドロキシ基、２つのアルコキシ基又はそれらの混合物を含み且つ２〜５０の平均重合度を有するオルガノポリシロキサンを含むフィラー処理剤とを、マルチパート組成物中に混合して、ポリマーベース組成物を形成する工程と、
・ヒドロシリル化触媒を、前記ポリマーベース組成物のいずれか又は全てに投入する工程と、
・オルガノハイドロジェンシロキサン（ｉｖ）を、単独で、又は少なくとも２つの不飽和基を含み且つ２５℃で少なくとも１，０００ｍＰａ・ｓの粘度を有するオルガノポリシロキサンをさらに含有する組成物の形態で準備する工程と、
・使用が求められるまで別々に構成成分を貯蔵する工程と、
・前記構成成分を共に混合して、硬化性エラストマー組成物を形成する工程と、
を含む、請求項１〜８のいずれか一項に記載の組成物を製造する方法。